(57)【要約】【課題】視聴予約又は録画予約された番組の興趣性を維持する。【解決手段】デジタル放送受信機のＭＰＵ１１は、リモコン２を介してユーザからの操作入力を受け付けて、受け付けられた操作入力に基づいてユーザが録画を所望する番組である録画予約番組の開始日時情報及び終了日時情報を設定する録画予約部１１１と、開始日時に到達したか否かを判定する日時判定部１１２と、開始日時に到達したと判定された場合に、設定された録画予約番組を受信し、受信した録画予約番組をＤＶＤレコーダ３に対して録画させる録画実行部１１３と、開始日時に到達していないと判定された場合に、録画予約部１１１によって設定された録画予約番組と同一ジャンルの番組の視聴を禁止する禁止部１１６と、を備えている。【選択図】図３
2008193275.tif 000002
【特許請求の範囲】
【請求項１】
テレビジョン放送を受信し、外部から視認可能にモニタに出力すると共に、受信した情報を格納する情報記録装置と通信可能に接続された放送受信装置であって、
外部からの操作入力を受け付けて、受け付けられた操作入力に基づいてユーザが録画を所望する番組である録画予約番組の開始日時情報、終了日時情報、及び、録画予約番組と同一ジャンルの番組の視聴を禁止する期間である視聴禁止期間を設定する録画予約手段と、
前記録画予約手段によって設定された開始日時に到達したか否かを判定すると共に、前記録画予約手段によって設定された視聴禁止期間が経過したか否かを判定する日時判定手段と、
前記日時判定手段によって開始日時に到達したと判定された場合に、前記録画予約手段によって設定された録画予約番組を受信し、受信した録画予約番組を前記情報記録装置に対して録画させる録画実行手段と、
前記日時判定手段によって視聴禁止期間が経過していないと判定された場合に、前記録画予約手段によって設定された録画予約番組と同一ジャンルの番組の視聴を禁止する禁止手段と、
外部からの操作入力を受け付けて、受け付けられた操作入力に基づいて受信するチャンネルを設定するチャンネル設定手段と、
前記チャンネル設定手段によって設定されたチャンネルにおいて放送されている番組を受信し、受信した番組をモニタに出力する表示制御手段と、
番組表情報を予め格納する番組表記憶手段と、
前記日時判定手段によって視聴禁止期間が経過していないと判定された場合に、前記チャンネル設定手段によって設定されたチャンネルにおいて放送中の番組、及び、前記チャンネル設定手段によって設定されたチャンネルにおいて、予め設定された所定期間内であって、且つ、前記録画予約手段によって設定された視聴禁止期間の経過前に放送が開始される番組が、それぞれ、前記録画予約手段によって設定された録画予約番組と同一ジャンルの番組であるか否かを、前記番組表記憶手段に格納された番組表情報に基づいて判定する番組判定手段と、
前記番組判定手段によって放送中の番組及び放送が開始される番組の少なくとも一方が録画予約番組と同一ジャンルの番組であると判定された場合に、外部からの操作入力を受け付けて、受け付けられた操作入力に基づいて放送中の番組の視聴を許可するか否かの設定を受け付ける許可受付手段と、
を備え、
前記禁止手段は、
前記番組判定手段によって放送中の番組及び放送が開始される番組の少なくとも一方が録画予約番組と同一ジャンルの番組であると判定された場合に、前記表示制御手段に対して、放送中の番組及び放送が開始される番組の少なくとも一方をモニタに出力することを禁止すると共に、前記表示制御手段に対して、放送中の番組及び放送が開始される番組の少なくとも一方が録画予約番組と同一ジャンルの番組である旨の情報をモニタに表示させ、
前記許可受付手段によって、放送中の番組及び放送が開始される番組の少なくとも一方の視聴を許可する旨の設定が行われた場合に、前記表示制御手段に対して、放送中の番組及び放送が開始される番組の少なくとも一方のモニタへの出力の禁止を解除することを特徴とする放送受信装置。
【請求項２】
テレビジョン放送を受信し、外部から視認可能にモニタに出力すると共に、受信した情報を格納する情報記録装置と通信可能に接続された放送受信装置であって、
外部からの操作入力を受け付けて、受け付けられた操作入力に基づいてユーザが録画を所望する番組である録画予約番組の開始日時情報及び終了日時情報を設定する録画予約手段と、
前記録画予約手段によって設定された開始日時に到達したか否かを判定する日時判定手段と、
前記日時判定手段によって開始日時に到達したと判定された場合に、前記録画予約手段によって設定された録画予約番組を受信し、受信した録画予約番組を前記情報記録装置に対して録画させる録画実行手段と、
前記日時判定手段によって開始日時に到達していないと判定された場合に、前記録画予約手段によって設定された録画予約番組と同一ジャンルの番組の視聴を禁止する禁止手段と、
を備えることを特徴とする放送受信装置。
【請求項３】
外部からの操作入力を受け付けて、受け付けられた操作入力に基づいて受信するチャンネルを設定するチャンネル設定手段と、
前記チャンネル設定手段によって設定されたチャンネルにおいて放送されている番組を受信し、受信した番組をモニタに出力する表示制御手段と、
前記日時判定手段によって開始日時に到達していないと判定された場合に、前記チャンネル設定手段によって設定されたチャンネルにおいて放送中の番組が、前記録画予約手段によって設定された録画予約番組と同一ジャンルの番組であるか否かを判定する番組判定手段と、
を備え、
前記禁止手段は、前記番組判定手段によって放送中の番組が録画予約番組と同一ジャンルの番組であると判定された場合に、前記表示制御手段に対して、放送中の番組をモニタに出力することを禁止することを特徴とする請求項２に記載の放送受信装置。
【請求項４】
前記禁止手段は、前記番組判定手段によって放送中の番組が録画予約番組と同一ジャンルの番組であると判定された場合に、前記表示制御手段に対して、放送中の番組が録画予約番組と同一ジャンルの番組である旨の情報をモニタに表示させることを特徴とする請求項３に記載の放送受信装置。
【請求項５】
前記番組判定手段によって放送中の番組が録画予約番組と同一ジャンルの番組であると判定された場合に、外部からの操作入力を受け付けて、受け付けられた操作入力に基づいて放送中の番組の視聴を許可するか否かの設定を受け付ける許可受付手段と、
前記禁止手段は、前記許可受付手段によって放送中の番組の視聴を許可する旨の設定が行われた場合に、前記表示制御手段に対して、放送中の番組のモニタへの出力の禁止を解除することを特徴とする請求項３又は請求項４に記載の放送受信装置。
【請求項６】
前記番組判定手段は、前記日時判定手段によって開始日時に到達していないと判定された場合に、前記チャンネル設定手段によって設定されたチャンネルにおいて、予め設定された所定期間内であって、且つ、前記録画予約手段によって設定された開始日時前に放送が開始される番組が、前記録画予約手段によって設定された録画予約番組と同一ジャンルの番組であるか否かを判定し、
前記禁止手段は、前記番組判定手段によって放送が開始される番組が録画予約番組と同一ジャンルの番組であると判定された場合に、前記表示制御手段に対して、放送が開始される番組をモニタに出力することを禁止すると共に、前記表示制御手段に対して、放送が開始される番組が録画予約番組と同一ジャンルの番組である旨の情報をモニタに表示させ、
前記許可受付手段は、前記番組判定手段によって放送が開始される番組が録画予約番組と同一ジャンルの番組であると判定された場合に、外部からの操作入力を受け付けて、受け付けられた操作入力に基づいて放送が開始される番組の視聴を許可するか否かの設定を受け付け、
前記禁止手段は、前記許可受付手段によって放送が開始される番組の視聴を許可する旨の設定が行われた場合に、前記表示制御手段に対して、放送が開始される番組のモニタへの出力の禁止を解除することを特徴とする請求項５に記載の放送受信装置。
【請求項７】
前記録画予約手段は、外部からの操作入力を受け付けて、受け付けられた操作入力に基づいて録画予約番組と同一ジャンルの番組の視聴を禁止する期間である視聴禁止期間を設定し、
前記日時判定手段は、前記録画予約手段によって設定された視聴禁止期間が経過したか否かを判定し、
前記番組判定手段は、前記日時判定手段によって視聴禁止期間が経過していないと判定された場合に、前記チャンネル設定手段によって設定されたチャンネルにおいて放送中の番組が、前記録画予約手段によって設定された録画予約番組と同一ジャンルの番組であるか否かを判定することを特徴とする請求項３〜請求項６のいずれかに記載の放送受信装置。
【請求項８】
番組表情報を予め格納する番組表記憶手段を備え、
前記番組判定手段は、前記番組表記憶手段に格納された番組表情報に基づいて、前記録画予約手段によって設定された録画予約番組と同一ジャンルの番組であるか否かを判定することを特徴とする請求項３〜請求項７のいずれかに記載の放送受信装置。
【請求項９】
テレビジョン放送を受信し、外部から視認可能にモニタに出力する放送受信装置であって、
外部からの操作入力を受け付けて、受け付けられた操作入力に基づいてユーザが視聴を所望する番組である視聴予約番組の開始日時情報、終了日時情報及びジャンル情報を設定する視聴予約手段と、
前記視聴予約手段によって設定された開始日時に到達したか否かを判定する日時判定手段と、
前記日時判定手段によって開始日時に到達したと判定された場合に、前記録画予約手段によって設定された視聴予約番組を受信し、受信した視聴予約番組をモニタに出力する表示制御手段と、
前記日時判定手段によって開始日時に到達していないと判定された場合に、前記録画予約手段によって設定された視聴予約番組と同一ジャンルの番組の視聴を禁止する禁止手段と、
を備えることを特徴とする放送受信装置。
【発明の詳細な説明】
【技術分野】
【０００１】
本発明は、テレビジョン放送を受信し、外部から視認可能にモニタに出力する放送受信装置に関する。特に、テレビジョン放送を受信し、外部から視認可能にモニタに出力すると共に、受信した情報を格納する情報記録装置と通信可能に接続された放送受信装置に関する。
【背景技術】
【０００２】
従来のアナログ放送では、チャンネル数が数個〜数十個程度であったが、近年普及しつつあるデジタル放送では、チャンネル数が数百にも及ぶ。そして、このように多チャンネル化が進むにつれて、膨大な数の番組が提供されるようになってきている。そこで、デジタル放送では、例えば番組表等の情報を電子番組表（Ｅｌｅｃｔｒｉｃａｌ  Ｐｒｏｇｒａｍ  Ｇｕｉｄｅ：ＥＰＧ）として送信し、放送受信機で受信した電子番組表の情報を再生し、これをモニタで表示可能としている。そして、この電子番組表に基づいて、簡便に録画予約を行う種々の装置、方法が提案されている。
【０００３】
例えば、複数の番組により構成されているにもかかわらず１番組として１つの番組枠で表示される番組を、各構成される番組単位に仕切線を表示し、当該番組枠全体に位置付けられたカーソルを仕切線単位に繰り下げ又は繰り上げして表示し、表示されているカーソル部分の時間帯での録画予約を行うデジタル放送受信装置が開示されている（特許文献１）。このデジタル放送受信装置によれば、録画予約をする際に、番組単位にとらわれることなく、自由度を増して録画予約を行うことができる。
【特許文献１】特開２００３−３０４４７６号公報
【発明の開示】
【発明が解決しようとする課題】
【０００４】
しかしながら、上記デジタル放送受信装置において、例えば、１の番組の録画予約（又は視聴予約）がされている場合に、録画予約（又は視聴予約）された番組に関する情報が他の番組で放送されており、ユーザがそのような他の番組を視聴した結果、録画予約（又は視聴予約）がされた１の番組を視聴する際の興趣性が殺がれる虞がある。
【０００５】
具体的には、例えば、深夜に放送されるＦ１レースを録画予約していたユーザが、その録画を再生して視聴する前に、ニュース番組等で録画予約していたＦ１レースの結果を知ってしまう虞があるのである。
【０００６】
本発明は、上記課題に鑑みてなされたものであって、視聴予約又は録画予約された番組の興趣性を維持することの可能な放送受信装置を提供することを目的としている。
【課題を解決するための手段】
【０００７】
上記目的を達成するために請求項１に記載の放送受信装置は、テレビジョン放送を受信し、外部から視認可能にモニタに出力すると共に、受信した情報を格納する情報記録装置と通信可能に接続された放送受信装置であって、外部からの操作入力を受け付けて、受け付けられた操作入力に基づいてユーザが録画を所望する番組である録画予約番組の開始日時情報、終了日時情報、及び、録画予約番組と同一ジャンルの番組の視聴を禁止する期間である視聴禁止期間を設定する録画予約手段と、前記録画予約手段によって設定された開始日時に到達したか否かを判定すると共に、前記録画予約手段によって設定された視聴禁止期間が経過したか否かを判定する日時判定手段と、前記日時判定手段によって開始日時に到達したと判定された場合に、前記録画予約手段によって設定された録画予約番組を受信し、受信した録画予約番組を前記情報記録装置に対して録画させる録画実行手段と、前記日時判定手段によって視聴禁止期間が経過していないと判定された場合に、前記録画予約手段によって設定された録画予約番組と同一ジャンルの番組の視聴を禁止する禁止手段と、外部からの操作入力を受け付けて、受け付けられた操作入力に基づいて受信するチャンネルを設定するチャンネル設定手段と、前記チャンネル設定手段によって設定されたチャンネルにおいて放送されている番組を受信し、受信した番組をモニタに出力する表示制御手段と、番組表情報を予め格納する番組表記憶手段と、前記日時判定手段によって視聴禁止期間が経過していないと判定された場合に、前記チャンネル設定手段によって設定されたチャンネルにおいて放送中の番組、及び、前記チャンネル設定手段によって設定されたチャンネルにおいて、予め設定された所定期間内であって、且つ、前記録画予約手段によって設定された視聴禁止期間の経過前に放送が開始される番組が、それぞれ、前記録画予約手段によって設定された録画予約番組と同一ジャンルの番組であるか否かを、前記番組表記憶手段に格納された番組表情報に基づいて判定する番組判定手段と、前記番組判定手段によって放送中の番組及び放送が開始される番組の少なくとも一方が録画予約番組と同一ジャンルの番組であると判定された場合に、外部からの操作入力を受け付けて、受け付けられた操作入力に基づいて放送中の番組の視聴を許可するか否かの設定を受け付ける許可受付手段と、を備え、前記禁止手段が、前記番組判定手段によって放送中の番組及び放送が開始される番組の少なくとも一方が録画予約番組と同一ジャンルの番組であると判定された場合に、前記表示制御手段に対して、放送中の番組及び放送が開始される番組の少なくとも一方をモニタに出力することを禁止すると共に、前記表示制御手段に対して、放送中の番組及び放送が開始される番組の少なくとも一方が録画予約番組と同一ジャンルの番組である旨の情報をモニタに表示させ、前記許可受付手段によって、放送中の番組及び放送が開始される番組の少なくとも一方の視聴を許可する旨の設定が行われた場合に、前記表示制御手段に対して、放送中の番組及び放送が開始される番組の少なくとも一方のモニタへの出力の禁止を解除することを特徴としている。
【０００８】
請求項２に記載の放送受信装置は、テレビジョン放送を受信し、外部から視認可能にモニタに出力すると共に、受信した情報を格納する情報記録装置と通信可能に接続された放送受信装置であって、外部からの操作入力を受け付けて、受け付けられた操作入力に基づいてユーザが録画を所望する番組である録画予約番組の開始日時情報及び終了日時情報を設定する録画予約手段と、前記録画予約手段によって設定された開始日時に到達したか否かを判定する日時判定手段と、前記日時判定手段によって開始日時に到達したと判定された場合に、前記録画予約手段によって設定された録画予約番組を受信し、受信した録画予約番組を前記情報記録装置に対して録画させる録画実行手段と、前記日時判定手段によって開始日時に到達していないと判定された場合に、前記録画予約手段によって設定された録画予約番組と同一ジャンルの番組の視聴を禁止する禁止手段と、を備えることを特徴としている。
【０００９】
請求項３に記載の放送受信装置は、請求項２に記載の放送受信装置であって、外部からの操作入力を受け付けて、受け付けられた操作入力に基づいて受信するチャンネルを設定するチャンネル設定手段と、前記チャンネル設定手段によって設定されたチャンネルにおいて放送されている番組を受信し、受信した番組をモニタに出力する表示制御手段と、前記日時判定手段によって開始日時に到達していないと判定された場合に、前記チャンネル設定手段によって設定されたチャンネルにおいて放送中の番組が、前記録画予約手段によって設定された録画予約番組と同一ジャンルの番組であるか否かを判定する番組判定手段と、を備え、前記禁止手段が、前記番組判定手段によって放送中の番組が録画予約番組と同一ジャンルの番組であると判定された場合に、前記表示制御手段に対して、放送中の番組をモニタに出力することを禁止することを特徴としている。
【００１０】
請求項４に記載の放送受信装置は、請求項３に記載の放送受信装置であって、前記禁止手段が、前記番組判定手段によって放送中の番組が録画予約番組と同一ジャンルの番組であると判定された場合に、前記表示制御手段に対して、放送中の番組が録画予約番組と同一ジャンルの番組である旨の情報をモニタに表示させることを特徴としている。
【００１１】
請求項５に記載の放送受信装置は、請求項３又は請求項４に記載の放送受信装置であって、前記番組判定手段によって放送中の番組が録画予約番組と同一ジャンルの番組であると判定された場合に、外部からの操作入力を受け付けて、受け付けられた操作入力に基づいて放送中の番組の視聴を許可するか否かの設定を受け付ける許可受付手段と、前記禁止手段が、前記許可受付手段によって放送中の番組の視聴を許可する旨の設定が行われた場合に、前記表示制御手段に対して、放送中の番組のモニタへの出力の禁止を解除することを特徴としている。
【００１２】
請求項６に記載の放送受信装置は、請求項５に記載の放送受信装置であって、前記番組判定手段が、前記日時判定手段によって開始日時に到達していないと判定された場合に、前記チャンネル設定手段によって設定されたチャンネルにおいて、予め設定された所定期間内であって、且つ、前記録画予約手段によって設定された開始日時前に放送が開始される番組が、前記録画予約手段によって設定された録画予約番組と同一ジャンルの番組であるか否かを判定し、前記禁止手段が、前記番組判定手段によって放送が開始される番組が録画予約番組と同一ジャンルの番組であると判定された場合に、前記表示制御手段に対して、放送が開始される番組をモニタに出力することを禁止すると共に、前記表示制御手段に対して、放送が開始される番組が録画予約番組と同一ジャンルの番組である旨の情報をモニタに表示させ、前記許可受付手段が、前記番組判定手段によって放送が開始される番組が録画予約番組と同一ジャンルの番組であると判定された場合に、外部からの操作入力を受け付けて、受け付けられた操作入力に基づいて放送が開始される番組の視聴を許可するか否かの設定を受け付け、前記禁止手段が、前記許可受付手段によって放送が開始される番組の視聴を許可する旨の設定が行われた場合に、前記表示制御手段に対して、放送が開始される番組のモニタへの出力の禁止を解除することを特徴としている。
【００１３】
請求項７に記載の放送受信装置は、請求項３〜請求項６のいずれかに記載の放送受信装置であって、前記録画予約手段が、外部からの操作入力を受け付けて、受け付けられた操作入力に基づいて録画予約番組と同一ジャンルの番組の視聴を禁止する期間である視聴禁止期間を設定し、前記日時判定手段は、前記録画予約手段によって設定された視聴禁止期間が経過したか否かを判定し、前記番組判定手段が、前記日時判定手段によって視聴禁止期間が経過していないと判定された場合に、前記チャンネル設定手段によって設定されたチャンネルにおいて放送中の番組が、前記録画予約手段によって設定された録画予約番組と同一ジャンルの番組であるか否かを判定することを特徴としている。
【００１４】
請求項８に記載の放送受信装置は、請求項３〜請求項７のいずれかに記載の放送受信装置であって、番組表情報を予め格納する番組表記憶手段を備え、前記番組判定手段が、前記番組表記憶手段に格納された番組表情報に基づいて、前記録画予約手段によって設定された録画予約番組と同一ジャンルの番組であるか否かを判定することを特徴としている。
【００１５】
請求項９に記載の放送受信装置は、テレビジョン放送を受信し、外部から視認可能にモニタに出力する放送受信装置であって、外部からの操作入力を受け付けて、受け付けられた操作入力に基づいてユーザが視聴を所望する番組である視聴予約番組の開始日時情報、終了日時情報及びジャンル情報を設定する視聴予約手段と、前記視聴予約手段によって設定された開始日時に到達したか否かを判定する日時判定手段と、前記日時判定手段によって開始日時に到達したと判定された場合に、前記録画予約手段によって設定された視聴予約番組を受信し、受信した視聴予約番組をモニタに出力する表示制御手段と、前記日時判定手段によって開始日時に到達していないと判定された場合に、前記録画予約手段によって設定された視聴予約番組と同一ジャンルの番組の視聴を禁止する禁止手段と、を備えることを特徴としている。
【発明の効果】
【００１６】
請求項１に記載の放送受信装置によれば、外部からの操作入力が受け付けられて、受け付けられた操作入力に基づいてユーザが録画を所望する番組である録画予約番組の開始日時情報及び終了日時情報が設定され、設定された開始日時に到達したか否かが判定される。そして、開始日時に到達したと判定された場合に、設定された録画予約番組が受信され、受信された録画予約番組が録画される。また、開始日時に到達していないと判定された場合に、設定された録画予約番組と同一ジャンルの番組の視聴が禁止されるため、録画予約された番組の興趣性を維持することができる。
【００１７】
すなわち、開始日時に到達していないと判定された場合に、設定された録画予約番組と同一ジャンルの番組の視聴が禁止されるため、設定された録画予約番組の開始日時より前に、録画予約番組と同一ジャンルの番組を視聴することによって録画予約番組に関する情報が視聴されることが防止されるので、録画予約された番組の興趣性を維持することができるのである。
【００１８】
また、外部からの操作入力が受け付けられて、受け付けられた操作入力に基づいて受信するチャンネルが設定され、設定されたチャンネルにおいて放送されている番組が受信され、受信された番組がモニタに出力される。そして、開始日時に到達していないと判定された場合に、設定されたチャンネルにおいて放送中の番組が、設定された録画予約番組と同一ジャンルの番組であるか否かが判定され、放送中の番組が録画予約番組と同一ジャンルの番組であると判定された場合に、放送中の番組をモニタに出力することが禁止されるため、録画予約された番組の興趣性を確実に維持することができる。
【００１９】
すなわち、開始日時に到達していないと判定され、且つ、設定されたチャンネルにおいて放送中の番組が録画予約番組と同一ジャンルの番組であると判定された場合に、放送中の番組をモニタに出力することが禁止されるため、録画予約された番組の興趣性を確実に維持することができるのである。
【００２０】
更に、放送中の番組が録画予約番組と同一ジャンルの番組であると判定された場合に、放送中の番組が録画予約番組と同一ジャンルの番組である旨の情報がモニタに表示されるため、利便性を向上することができる。
【００２１】
すなわち、放送中の番組が録画予約番組と同一ジャンルの番組である旨の情報がモニタに表示されるため、ユーザは、放送中の番組が録画予約番組と同一ジャンルの番組であるために放送中の番組をモニタに出力することが禁止されていることを確認することができるのである。
【００２２】
加えて、放送中の番組が録画予約番組と同一ジャンルの番組であると判定された場合に、外部からの操作入力を受け付けられて、受け付けられた操作入力に基づいて放送中の番組の視聴を許可するか否かの設定が受け付けられる。そして、放送中の番組の視聴を許可する旨の設定が行われた場合に、放送中の番組のモニタへの出力の禁止が解除されるため、利便性を向上することができる。
【００２３】
すなわち、放送中の番組が録画予約番組と同一ジャンルの番組であると判定された場合であっても、ユーザが放送中の番組の視聴を所望する場合には、放送中の番組の視聴を許可する旨の設定に対応する操作入力を行うことによって、放送中の番組のモニタへの出力の禁止が解除されるため、放送中の番組を視聴することが可能となるので、利便性を向上することができるのである。
【００２４】
また、外部からの操作入力が受け付けられて、受け付けられた操作入力に基づいて録画予約番組と同一ジャンルの番組の視聴を禁止する期間である視聴禁止期間が設定され、設定された視聴禁止期間が経過したか否かが判定される。そして、視聴禁止期間が経過していないと判定された場合に、設定されたチャンネルにおいて放送中の番組が、設定された録画予約番組と同一ジャンルの番組であるか否かが判定されるため、録画予約された番組の興趣性を更に確実に維持することができる。
【００２５】
すなわち、設定された開始日時後であっても、ユーザが録画予約番組を再生して視聴する前の視聴禁止期間（例えば、録画予約番組の開始日時から１週間の期間）内に放送中の録画予約番組と同一ジャンルの番組の視聴を禁止することが可能となるため、録画予約された番組の興趣性を更に確実に維持することができるのである。
【００２６】
更に、視聴禁止期間が経過していないと判定された場合に、設定されたチャンネルにおいて、予め設定された所定期間内であって、且つ、視聴禁止期間の経過前に放送が開始される番組が、設定された録画予約番組と同一ジャンルの番組であるか否かが判定される。そして、放送が開始される番組が録画予約番組と同一ジャンルの番組であると判定された場合に、放送が開始される番組をモニタに出力することが禁止され、放送が開始される番組が録画予約番組と同一ジャンルの番組である旨の情報がモニタに表示されると共に、外部からの操作入力が受け付けられて、受け付けられた操作入力に基づいて放送が開始される番組の視聴を許可するか否かの設定が受け付けられる。また、放送が開始される番組の視聴を許可する旨の設定が行われた場合に、放送が開始される番組のモニタへの出力の禁止が解除されるため、更に利便性を向上することができる。
【００２７】
すなわち、設定されたチャンネルにおいて、予め設定された所定期間内（例えば、１０分以内）であって、且つ、設定された視聴禁止期間の経過前に放送が開始される番組が、設定された録画予約番組と同一ジャンルの番組であると判定された場合に、放送が開始される番組の視聴を許可するか否かの設定が受け付けられるため、設定されたチャンネルにおいて所定期間内（例えば、１０分以内）に放送予定の番組についても予め視聴の可否を設定することが可能となるので、更に利便性を向上することができるのである。
【００２８】
加えて、番組表記憶手段に番組表情報が予め格納されており、番組表記憶手段に格納された番組表情報に基づいて、録画予約番組と同一ジャンルの番組であるか否かが判定されるため、録画予約番組と同一ジャンルの番組であるか否かの判定を容易に且つ正確に行うことができる。
【００２９】
請求項２に記載の放送受信装置によれば、外部からの操作入力が受け付けられて、受け付けられた操作入力に基づいてユーザが録画を所望する番組である録画予約番組の開始日時情報及び終了日時情報が設定され、設定された開始日時に到達したか否かが判定される。そして、開始日時に到達したと判定された場合に、設定された録画予約番組が受信され、受信された録画予約番組が録画される。また、開始日時に到達していないと判定された場合に、設定された録画予約番組と同一ジャンルの番組の視聴が禁止されるため、録画予約された番組の興趣性を維持することができる。
【００３０】
すなわち、開始日時に到達していないと判定された場合に、設定された録画予約番組と同一ジャンルの番組の視聴が禁止されるため、設定された録画予約番組の開始日時より前に、録画予約番組と同一ジャンルの番組を視聴することによって録画予約番組に関する情報が視聴されることが防止されるので、録画予約された番組の興趣性を維持することができるのである。
【００３１】
請求項３に記載の放送受信装置によれば、外部からの操作入力が受け付けられて、受け付けられた操作入力に基づいて受信するチャンネルが設定され、設定されたチャンネルにおいて放送されている番組が受信され、受信された番組がモニタに出力される。そして、開始日時に到達していないと判定された場合に、設定されたチャンネルにおいて放送中の番組が、設定された録画予約番組と同一ジャンルの番組であるか否かが判定され、放送中の番組が録画予約番組と同一ジャンルの番組であると判定された場合に、放送中の番組をモニタに出力することが禁止されるため、録画予約された番組の興趣性を確実に維持することができる。
【００３２】
すなわち、開始日時に到達していないと判定され、且つ、設定されたチャンネルにおいて放送中の番組が録画予約番組と同一ジャンルの番組であると判定された場合に、放送中の番組をモニタに出力することが禁止されるため、録画予約された番組の興趣性を確実に維持することができるのである。
【００３３】
請求項４に記載の放送受信装置によれば、放送中の番組が録画予約番組と同一ジャンルの番組であると判定された場合に、放送中の番組が録画予約番組と同一ジャンルの番組である旨の情報がモニタに表示されるため、利便性を向上することができる。
【００３４】
すなわち、放送中の番組が録画予約番組と同一ジャンルの番組である旨の情報がモニタに表示されるため、ユーザは、放送中の番組が録画予約番組と同一ジャンルの番組であるために放送中の番組をモニタに出力することが禁止されていることを確認することができるのである。
【００３５】
請求項５に記載の放送受信装置によれば、放送中の番組が録画予約番組と同一ジャンルの番組であると判定された場合に、外部からの操作入力を受け付けられて、受け付けられた操作入力に基づいて放送中の番組の視聴を許可するか否かの設定が受け付けられる。そして、放送中の番組の視聴を許可する旨の設定が行われた場合に、放送中の番組のモニタへの出力の禁止が解除されるため、利便性を向上することができる。
【００３６】
すなわち、放送中の番組が録画予約番組と同一ジャンルの番組であると判定された場合であっても、ユーザが放送中の番組の視聴を所望する場合には、放送中の番組の視聴を許可する旨の設定に対応する操作入力を行うことによって、放送中の番組のモニタへの出力の禁止が解除されるため、放送中の番組を視聴することが可能となるので、利便性を向上することができるのである。
【００３７】
請求項６に記載の放送受信装置によれば、開始日時に到達していないと判定された場合に、設定されたチャンネルにおいて、予め設定された所定期間内であって、且つ、設定された開始日時前に放送が開始される番組が、設定された録画予約番組と同一ジャンルの番組であるか否かが判定される。そして、放送が開始される番組が録画予約番組と同一ジャンルの番組であると判定された場合に、放送が開始される番組をモニタに出力することが禁止され、放送が開始される番組が録画予約番組と同一ジャンルの番組である旨の情報がモニタに表示されると共に、外部からの操作入力が受け付けられて、受け付けられた操作入力に基づいて放送が開始される番組の視聴を許可するか否かの設定が受け付けられる。また、放送が開始される番組の視聴を許可する旨の設定が行われた場合に、放送が開始される番組のモニタへの出力の禁止が解除されるため、更に利便性を向上することができる。
【００３８】
すなわち、設定されたチャンネルにおいて、予め設定された所定期間内（例えば、１０分以内）であって、且つ、設定された開始日時前に放送が開始される番組が、設定された録画予約番組と同一ジャンルの番組であると判定された場合に、放送が開始される番組の視聴を許可するか否かの設定が受け付けられるため、設定されたチャンネルにおいて所定期間内（例えば、１０分以内）に放送予定の番組についても予め視聴の可否を設定することが可能となるので、更に利便性を向上することができるのである。
【００３９】
請求項７に記載の放送受信装置によれば、外部からの操作入力が受け付けられて、受け付けられた操作入力に基づいて録画予約番組と同一ジャンルの番組の視聴を禁止する期間である視聴禁止期間が設定され、設定された視聴禁止期間が経過したか否かが判定される。そして、視聴禁止期間が経過していないと判定された場合に、設定されたチャンネルにおいて放送中の番組が、設定された録画予約番組と同一ジャンルの番組であるか否かが判定されるため、録画予約された番組の興趣性を更に確実に維持することができる。
【００４０】
すなわち、設定された開始日時後であっても、ユーザが録画予約番組を再生して視聴する前の視聴禁止期間（例えば、録画予約番組の開始日時から１週間の期間）内に放送中の録画予約番組と同一ジャンルの番組の視聴を禁止することが可能となるため、録画予約された番組の興趣性を更に確実に維持することができるのである。
【００４１】
請求項８に記載の放送受信装置によれば、番組表記憶手段に番組表情報が予め格納されており、番組表記憶手段に格納された番組表情報に基づいて、録画予約番組と同一ジャンルの番組であるか否かが判定されるため、録画予約番組と同一ジャンルの番組であるか否かの判定を容易に且つ正確に行うことができる。
【００４２】
請求項９に記載の放送受信装置によれば、外部からの操作入力を受け付けられて、受け付けられた操作入力に基づいてユーザが視聴を所望する番組である視聴予約番組の開始日時情報、終了日時情報及びジャンル情報が設定される。そして、設定された開始日時に到達したか否かが判定され、開始日時に到達したと判定された場合に、設定された視聴予約番組が受信され、受信した視聴予約番組がモニタに出力される。また、開始日時に到達していないと判定された場合に、設定された視聴予約番組と同一ジャンルの番組の視聴が禁止されるため、視聴予約された番組の興趣性を維持することができる。
【００４３】
すなわち、開始日時に到達していないと判定された場合に、設定された視聴予約番組と同一ジャンルの番組の視聴が禁止されるため、設定された視聴予約番組の開始日時より前に、視聴予約番組と同一ジャンルの番組を視聴することによって視聴予約番組に関する情報が視聴されることが防止されるので、視聴予約された番組の興趣性を維持することができるのである。
【発明を実施するための最良の形態】
【００４４】
以下に本発明の実施形態を、図面を参照しながら説明する。図１は、本発明に係るデジタル放送受信機の接続状態の一例を示す構成図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続され、ＤＶＤ（Ｄｉｇｉｔａｌ  Ｖｅｒｓａｔｉｌｅ  Ｄｉｓｋ）レコーダ３（情報記録装置に相当する）と通信可能に接続されている。
【００４５】
デジタル放送受信機１は、リモコン２を介してユーザからの操作入力を受け付けて、テレビジョン放送を受信し、図２を用いて後述するディスプレイ１８３に出力すると共に、図２を用いて後述するスピーカ１６３を介して音声を出力するものである。また、デジタル放送受信機１は、受信した映像情報等をＤＶＤレコーダ３へ出力するものである。
【００４６】
リモコン２（録画予約手段の一部、チャンネル設定手段の一部、許可受付手段の一部に相当する）は、ユーザからの操作入力を受け付けて、受け付けられた操作入力に対応する赤外線信号を生成して、デジタル放送受信機１に対して出力するものである。ＤＶＤレコーダ３は、デジタル放送受信機１からの映像情報等をＤＶＤに記録するものである。
【００４７】
図２は、デジタル放送受信機１の構成の一例を示すブロック図である。デジタル放送受信機１は、ＭＰＵ１１、ＲＡＭ１２、ＲＯＭ１３、操作部１４、受信部１５、音声出力部１６、ＭＰＥＧ２デコード部１７、画像出力部１８、及び、インターフェイス部１９を備えている。
【００４８】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１を動作させる制御プログラム等を格納するものである。
【００４９】
操作部１４は、電源のＯＮ、ＯＦＦ操作、選局等の各種操作を受け付けるものである。また、操作部１４は、赤外線通信を介して、リモコン２からの操作信号を受け付けて、各種操作を受け付けるものである。受信部１５（表示制御手段の一部に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００５０】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００５１】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００５２】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００５３】
画像出力部１８は、ＭＰＥＧ２デコード部１７によって復号化された映像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００５４】
インターフェイス部１９は、ＤＶＤレコーダ３との間で、指示情報、映像情報、音声情報等の種々の情報を送受信するものである。
【００５５】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００５６】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、番組表情報等を含む制御情報からなり、この制御情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００５７】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ１８３に映像が表示される。
【００５８】
図３は、本発明に係るデジタル放送受信機１における主要部の構成の一例を示すブロック図である。ＭＰＵ１１は、機能的に、録画予約部１１１、日時判定部１１２、録画実行部１１３、チャンネル設定部１１４、番組判定部１１５、禁止部１１６、表示制御部１１７、及び、許可受付部１１８を備え、ＲＡＭ１２は、機能的に、予約情報記憶部１２１及び番組表記憶部１２２を備えている。
【００５９】
ここでは、ＭＰＵ１１が、図２に示すＲＯＭ１３等に予め格納された制御プログラムを読み出して実行することにより、録画予約部１１１、日時判定部１１２、録画実行部１１３、チャンネル設定部１１４、番組判定部１１５、禁止部１１６、表示制御部１１７、許可受付部１１８等の機能部として機能すると共に、ＲＡＭ１２を、予約情報記憶部１２１、番組表記憶部１２２等の機能部として機能させるものである。
【００６０】
また、ＲＡＭ１２、図２に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ、半導体メモリ等である。
【００６１】
予約情報記憶部１２１は、録画予約部１１１によって設定されたユーザが録画を所望する番組である録画予約番組の開始日時情報、終了日時情報、及び、録画予約番組と同一ジャンルの番組の視聴を禁止する期間である視聴禁止期間情報を格納するものである。
【００６２】
番組表記憶部１２２（番組表記憶手段に相当する）は、図２に示す受信部１５を介して受信された電子番組表（Ｅｌｅｃｔｒｉｃａｌ  Ｐｒｏｇｒａｍ  Ｇｕｉｄｅ：ＥＰＧ）情報を格納するものである。
【００６３】
録画予約部１１１（録画予約手段の一部に相当する）は、ディスプレイ１８３に後述する録画予約画面（図４（ａ）参照）を表示し、リモコン２を介してユーザからの操作入力を受け付けて、受け付けられた操作入力に基づいてユーザが録画を所望する番組である録画予約番組の開始日時情報、終了日時情報、及び、録画予約番組と同一ジャンルの番組の視聴を禁止する期間である視聴禁止期間（例えば、録画予約番組の開始日時から１週間の期間）を設定すると共に、設定された録画予約番組の開始日時情報、終了日時情報、及び、視聴禁止期間情報を予約情報記憶部１２１に格納するものである。
【００６４】
図４（ａ）は、録画予約部１１１によってディスプレイ１８３に表示される録画予約画面の一例を示す画面図である。録画予約画面４００には、画面上部から順に、チャンネル表示部４０１、開始日時表示部４０２、終了日時表示部４０３、視聴禁止設定表示部４０４、及び、視聴禁止期間表示部４０５が表示されている。
【００６５】
チャンネル表示部４０１は、ユーザが録画を所望する番組が放送されるチャンネルを表示するものである。開始日時表示部４０２及び終了日時表示部４０３は、ユーザが録画を所望する番組の開始日時及び終了日時をそれぞれ表示するものである。視聴禁止設定表示部４０４は、録画予約番組と同一ジャンルの番組の視聴を禁止するか否かの設定を表示するものである。視聴禁止期間表示部４０５は、録画予約番組と同一ジャンルの番組の視聴を禁止する期間（例えば、録画予約番組の開始日時から１週間の期間）を設定するものである。
【００６６】
録画予約部１１１によってリモコン２を介してユーザからの操作入力を受け付けられて、受け付けられた操作入力に基づいて、録画予約画面４００のチャンネル表示部４０１、開始日時表示部４０２、終了日時表示部４０３、視聴禁止設定表示部４０４、及び、視聴禁止期間表示部４０５にそれぞれに対応する設定情報が表示される。
【００６７】
再び、図３に戻って、ＭＰＵ１１の機能構成について説明する。日時判定部１１２（日時判定手段に相当する）は、録画予約部１１１によって設定された開始日時情報を予約情報記憶部１２１から読み出して、開始日時に到達したか否かを判定すると共に、録画予約部１１１によって設定された視聴禁止期間情報を予約情報記憶部１２１から読み出して、視聴禁止期間（ここでは、録画予約番組の開始日時から１週間の期間）が経過したか否かを判定するものである。
【００６８】
録画実行部１１３（録画実行手段に相当する）は、日時判定部１１２によって開始日時に到達したと判定された場合に、録画予約部１１１によって設定された録画予約番組を図２に示す受信部１５を介して受信し、受信した録画予約番組をＤＶＤレコーダ３に対して録画させるものである。
【００６９】
チャンネル設定部１１４（チャンネル設定手段の一部に相当する）は、リモコン２を介してユーザからの操作入力を受け付けて、受け付けられた操作入力に基づいて受信するチャンネルを受信部１５（チューナ部１５２）に対して設定するものである。
【００７０】
番組判定部１１５（番組判定手段に相当する）は、日時判定部１１２によって視聴禁止期間が経過していないと判定された場合に、チャンネル設定部１１４によって設定されたチャンネルにおいて放送中の番組、及び、チャンネル設定部１１４によって設定されたチャンネルにおいて、予め設定された所定期間内（例えば、１０分以内）であって、且つ、録画予約部１１１によって設定された視聴禁止期間（ここでは、録画予約番組の開始日時から１週間の期間）の経過前に放送が開始される番組が、それぞれ、録画予約部１１１によって設定された録画予約番組と同一ジャンルの番組であるか否かを、番組表記憶部１２２に格納された番組表情報に基づいて判定するものである。
【００７１】
また、番組判定部１１５は、同一ジャンルの番組であるか否かの判定を、具体的には、番組表記憶部１２２に格納された番組表情報の内、録画予約番組のジャンル情報と、放送中の番組及び放送が開始される番組のジャンル情報とに基づいて行うものである。すなわち、例えば、録画予約番組のジャンル情報（例えば、野球中継番組に対応するジャンル情報）が、放送中の番組のジャンル情報と一致する場合には、同一ジャンルの番組であると判定する。
【００７２】
ただし、ニュース番組ではあらゆるジャンルの情報が放送される可能性があるため、放送中の番組（又は放送が開始される番組）がニュース番組である場合には、録画予約番組のジャンル情報が何であっても、番組判定部１１５は、同一ジャンルの番組であると判定するものである。
【００７３】
禁止部１１６（禁止手段に相当する）は、日時判定部１１２によって視聴禁止期間（ここでは、録画予約番組の開始日時から１週間の期間）が経過していないと判定された場合に、録画予約部１１１によって設定された録画予約番組と同一ジャンルの番組の視聴を禁止するものである。
【００７４】
すなわち、禁止部１１６は、番組判定部１１５によって放送中の番組及び放送が開始される番組の少なくとも一方が録画予約番組と同一ジャンルの番組であると判定された場合に、表示制御部１１７に対して、放送中の番組及び放送が開始される番組の少なくとも一方をディスプレイ１８３に出力することを禁止するものである。
【００７５】
また、禁止部１１６は、番組判定部１１５によって放送中の番組及び放送が開始される番組の少なくとも一方が録画予約番組と同一ジャンルの番組であると判定された場合に、表示制御部１１７に対して、放送中の番組及び放送が開始される番組の少なくとも一方が録画予約番組と同一ジャンルの番組である旨のガイダンス情報（図４（ｂ）参照）をディスプレイ１８３に表示させるものである。
【００７６】
更に、禁止部１１６は、許可受付部１１８によって、放送中の番組及び放送が開始される番組の少なくとも一方の視聴を許可する旨の設定が行われた場合に、表示制御部１１７に対して、放送中の番組及び放送が開始される番組の少なくとも一方のディスプレイ１８３への出力の禁止を解除するものである。
【００７７】
表示制御部１１７（表示制御手段の一部に相当する）は、チャンネル設定部１１４によって設定されたチャンネルにおいて放送されている番組を、受信部１５を介して受信し、受信した番組をディスプレイ１８３に出力するものである。また、表示制御部１１７は、禁止部１１６からの指示に従って、設定されたチャンネルにおいて放送されている番組のディスプレイ１８３への出力を停止するものである。すなわち、禁止部１１６によって、番組のディスプレイ１８３への出力が禁止されている場合には、表示制御部１１７は、番組のディスプレイ１８３への出力を停止し、禁止部１１６によって、ディスプレイ１８３への出力の禁止が解除された場合には、番組のディスプレイ１８３への出力を行うものである。
【００７８】
許可受付部１１８（許可受付手段の一部に相当する）は、番組判定部１１５によって放送中の番組及び放送が開始される番組の少なくとも一方が録画予約番組と同一ジャンルの番組であると判定された場合に、ディスプレイ１８３に視聴許可受付画面（図４（ｂ）参照）を表示すると共に、リモコン２を介してユーザからの操作入力を受け付けて、受け付けられた操作入力に基づいて放送中の番組又は放送が開始される番組の視聴を許可するか否かの設定を受け付けるものである。
【００７９】
図４（ｂ）は、禁止部１１６及び許可受付部１１８によってディスプレイ１８３に表示される視聴許可受付画面の一例を示す画面図である。視聴許可受付画面４１０には、画面略中央部に、ガイダンス表示部４１１が表示され、ガイダンス表示部４１１の下方に、ＹＥＳボタン４１２、ＮＯボタン４１３が表示されている。
【００８０】
ガイダンス表示部４１１は、放送が開始される番組が録画予約番組と同一ジャンルの番組である旨のガイダンス情報、及び、放送が開始される番組の視聴を許可するか否かを設定するための操作入力を促すガイダンス情報が表示される。ＹＥＳボタン４１２は、放送が開始される番組の視聴を所望する場合に選択されるボタンであって、ＮＯボタン４１３は、放送が開始される番組の視聴を所望しない場合に選択されるボタンである。なお、デフォールトでは、ＮＯボタン４１３が選択状態（図では、選択状態にあることを太枠で示している）となっている。
【００８１】
図５は、デジタル放送受信機１（主にＭＰＵ１１）の動作の一例を示すフローチャートである。なお、ここでは、便宜上、予め録画予約部１１１によって録画予約番組のチャンネル情報、開始日時情報、終了日時情報、及び、視聴禁止期間が設定されている場合について説明する。まず、日時判定部１１２によって、視聴禁止期間が経過したか否かの判定が行われる（Ｓ１０１）。視聴禁止期間が経過したと判定された場合（Ｓ１０１でＹＥＳ）には、処理が終了される。
【００８２】
視聴禁止期間が経過していないと判定された場合（Ｓ１０１でＮＯ）には、チャンネル設定部１１４によってチャンネルが設定される（Ｓ１０３）。そして、番組判定部１１５によって、ステップＳ１０３において設定されたチャンネルで放送中の番組が、録画予約番組と同一ジャンルの番組であるか否かの判定が行われる（Ｓ１０５）。同一ジャンルの番組ではないと判定された場合（Ｓ１０５でＮＯ）には、処理がステップＳ１１１に進められる。同一ジャンルの番組であると判定された場合（Ｓ１０５でＹＥＳ）には、禁止部１１６によって、表示制御部１１７を介して、放送中の番組をディスプレイ１８３に出力することが禁止され、放送中の番組が録画予約番組と同一ジャンルの番組である旨のガイダンス情報がディスプレイ１８３に表示される（Ｓ１０７）。
【００８３】
そして、許可受付部１１８によって、放送中の番組の視聴を許可する旨の設定（＝視聴禁止を解除する旨の設定）が受け付けられたか否かの判定が行われる（Ｓ１０９）。視聴を許可する旨の設定が行われたと判定された場合（Ｓ１０９でＹＥＳ）、又は、ステップＳ１０５でＮＯの場合には、表示制御部１１７によって、放送中の番組がディスプレイ１８３に出力され（Ｓ１１１）、処理がステップＳ１１３に進められる。
【００８４】
視聴を許可する旨の設定が行われていないと判定された場合（Ｓ１０９でＮＯ）、又は、ステップＳ１１１の処理が終了した場合には番組判定部１１５によって、ステップＳ１０３において設定されたチャンネルで、所定期間内（例えば、１０分以内）であって、且つ、視聴禁止期間（ここでは、録画予約番組の開始日時から１週間の期間）の経過前に放送が開始される番組が、録画予約番組と同一ジャンルの番組であるか否かの判定が行われる（Ｓ１１３）。同一ジャンルの番組ではないと判定された場合（Ｓ１１３でＮＯ）には、処理がステップＳ１１９に進められる。同一ジャンルの番組であると判定された場合（Ｓ１１３でＹＥＳ）には、禁止部１１６によって、表示制御部１１７を介して、放送が開始される番組をディスプレイ１８３に出力することが禁止され、放送が開始される番組が録画予約番組と同一ジャンルの番組である旨のガイダンス情報がディスプレイ１８３に表示される（Ｓ１１５）。
【００８５】
そして、許可受付部１１８によって、放送が開始される番組の視聴を許可する旨の設定（＝視聴禁止を解除する旨の設定）が受け付けられたか否かの判定が行われる（Ｓ１１７）。視聴を許可する旨の設定が行われたと判定された場合（Ｓ１１７でＹＥＳ）、又は、ステップＳ１１３でＮＯの場合には、表示制御部１１７によって、放送が開始される番組がディスプレイ１８３に出力可能とされ（Ｓ１１９）、処理がステップＳ１０１戻され、ステップＳ１０１以降の処理が繰り返し実行される。視聴を許可する旨の設定が行われていないと判定された場合（Ｓ１１７でＮＯ）には、処理がステップＳ１０１戻され、ステップＳ１０１以降の処理が繰り返し実行される。
【００８６】
このようにして、リモコン２を介してユーザからの操作入力が受け付けられて、受け付けられた操作入力に基づいてユーザが録画を所望する番組である録画予約番組の開始日時情報及び終了日時情報が設定され、設定された開始日時に到達したか否かが判定される。そして、開始日時に到達したと判定された場合に、設定された録画予約番組が受信され、受信された録画予約番組が録画される。また、開始日時に到達していないと判定された場合に、設定された録画予約番組と同一ジャンルの番組の視聴が禁止されるため、録画予約された番組の興趣性を維持することができる。
【００８７】
すなわち、開始日時に到達していないと判定された場合に、設定された録画予約番組と同一ジャンルの番組の視聴が禁止されるため、設定された録画予約番組の開始日時より前に、録画予約番組と同一ジャンルの番組を視聴することによって録画予約番組に関する情報が視聴されることが防止されるので、録画予約された番組の興趣性を維持することができるのである。
【００８８】
また、リモコン２を介してユーザからの操作入力が受け付けられて、受け付けられた操作入力に基づいて受信するチャンネルが設定され、設定されたチャンネルにおいて放送されている番組が受信され、受信された番組がディスプレイ１８３に出力される。そして、開始日時に到達していないと判定された場合に、設定されたチャンネルにおいて放送中の番組が、設定された録画予約番組と同一ジャンルの番組であるか否かが判定され、放送中の番組が録画予約番組と同一ジャンルの番組であると判定された場合に、放送中の番組をディスプレイ１８３に出力することが禁止されるため、録画予約された番組の興趣性を確実に維持することができる。
【００８９】
すなわち、開始日時に到達していないと判定され、且つ、設定されたチャンネルにおいて放送中の番組が録画予約番組と同一ジャンルの番組であると判定された場合に、放送中の番組をディスプレイ１８３に出力することが禁止されるため、録画予約された番組の興趣性を確実に維持することができるのである。
【００９０】
更に、放送中の番組が録画予約番組と同一ジャンルの番組であると判定された場合に、放送中の番組が録画予約番組と同一ジャンルの番組である旨の情報がディスプレイ１８３に表示される（図４（ｂ）参照）ため、利便性を向上することができる。
【００９１】
すなわち、放送中の番組が録画予約番組と同一ジャンルの番組である旨の情報がディスプレイ１８３に表示されるため、ユーザは、放送中の番組が録画予約番組と同一ジャンルの番組であるために放送中の番組をディスプレイ１８３に出力することが禁止されていることを確認することができるのである。
【００９２】
加えて、放送中の番組が録画予約番組と同一ジャンルの番組であると判定された場合に、外部からの操作入力を受け付けられて、受け付けられた操作入力に基づいて放送中の番組の視聴を許可するか否かの設定が受け付けられる。そして、放送中の番組の視聴を許可する旨の設定が行われた場合に、放送中の番組のディスプレイ１８３への出力の禁止が解除されるため、利便性を向上することができる。
【００９３】
すなわち、放送中の番組が録画予約番組と同一ジャンルの番組であると判定された場合であっても、ユーザが放送中の番組の視聴を所望する場合には、放送中の番組の視聴を許可する旨の設定に対応する操作入力を行うことによって、放送中の番組のディスプレイ１８３への出力の禁止が解除されるため、放送中の番組を視聴することが可能となるので、利便性を向上することができるのである。
【００９４】
また、リモコン２を介してユーザからの操作入力が受け付けられて、受け付けられた操作入力に基づいて録画予約番組と同一ジャンルの番組の視聴を禁止する期間である視聴禁止期間が設定され、設定された視聴禁止期間（ここでは、録画予約番組の開始日時から１週間の期間）が経過したか否かが判定される。そして、視聴禁止期間が経過していないと判定された場合に、設定されたチャンネルにおいて放送中の番組が、設定された録画予約番組と同一ジャンルの番組であるか否かが判定されるため、録画予約された番組の興趣性を更に確実に維持することができる。
【００９５】
すなわち、設定された開始日時後であっても、ユーザが録画予約番組を再生して視聴する前の視聴禁止期間（ここでは、録画予約番組の開始日時から１週間の期間）内に放送中の録画予約番組と同一ジャンルの番組の視聴を禁止することが可能となるため、録画予約された番組の興趣性を更に確実に維持することができるのである。
【００９６】
更に、視聴禁止期間（ここでは、録画予約番組の開始日時から１週間の期間）が経過していないと判定された場合に、設定されたチャンネルにおいて、予め設定された所定期間内（例えば、１０分以内）であって、且つ、視聴禁止期間の経過前に放送が開始される番組が、設定された録画予約番組と同一ジャンルの番組であるか否かが判定される。そして、放送が開始される番組が録画予約番組と同一ジャンルの番組であると判定された場合に、放送が開始される番組をディスプレイ１８３に出力することが禁止され、放送が開始される番組が録画予約番組と同一ジャンルの番組である旨の情報がディスプレイ１８３に表示されると共に、リモコン２を介してユーザからの操作入力が受け付けられて、受け付けられた操作入力に基づいて放送が開始される番組の視聴を許可するか否かの設定が受け付けられる。また、放送が開始される番組の視聴を許可する旨の設定が行われた場合に、放送が開始される番組のディスプレイ１８３への出力の禁止が解除されるため、更に利便性を向上することができる。
【００９７】
すなわち、設定されたチャンネルにおいて、予め設定された所定期間内（ここでは、１０分以内）であって、且つ、設定された視聴禁止期間（ここでは、録画予約番組の開始日時から１週間の期間）の経過前に放送が開始される番組が、設定された録画予約番組と同一ジャンルの番組であると判定された場合に、放送が開始される番組の視聴を許可するか否かの設定が受け付けられるため、設定されたチャンネルにおいて所定期間内（ここでは、１０分以内）に放送予定の番組についても予め視聴の可否を設定することが可能となるので、更に利便性を向上することができるのである。
【００９８】
加えて、番組表記憶部１２２に番組表情報が予め格納されており、番組表記憶部１２２に格納された番組表情報に基づいて、録画予約番組と同一ジャンルの番組であるか否かが判定されるため、録画予約番組と同一ジャンルの番組であるか否かの判定を容易に且つ正確に行うことができる。
【００９９】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８３に出力するであればよい。例えば、放送受信装置が、アナログ放送を受信する形態でもよいし、アナログ放送及びデジタル放送を受信する形態でもよい。
【０１００】
（Ｂ）本実施形態では、情報記録装置が、ＤＶＤレコーダ３である場合について説明したが、情報記録装置が、テレビジョン放送を受信して得られた情報を記録媒体に格納可能に構成された装置であればよい。例えば、情報記録装置が、ビデオテープレコーダ、ＨＤＤ（Ｈａｒｄ  Ｄｉｓｋ  Ｄｒｉｖｅ）を備えたパーソナルコンピュータ等である形態でもよい。
【０１０１】
（Ｃ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【０１０２】
（Ｄ）本実施形態では、ＭＰＵ１１が録画予約部１１１を備える場合について説明したが、ＭＰＵ１１が録画予約部１１１に換えて（又は、加えて）視聴予約を設定する機能部を備える形態でもよい。この場合には、視聴予約された番組と同一ジャンルの番組の視聴が禁止されるため、視聴予約された番組の興趣性を維持することができる。
【図面の簡単な説明】
【０１０３】
【図１】は、本発明に係るデジタル放送受信機の接続状態の一例を示す構成図である。
【図２】は、デジタル放送受信機の構成の一例を示すブロック図である。
【図３】は、本発明に係るデジタル放送受信機における主要部の構成の一例を示すブロック図である。
【図４】は、ディスプレイに表示される録画予約画面、及び、視聴許可受付画面の一例を示す画面図である。
【図５】は、デジタル放送受信機（主にＭＰＵ）の動作の一例を示すフローチャートである。
【符号の説明】
【０１０４】
１    デジタル放送受信機（放送受信装置）
１１    ＭＰＵ
１１１    録画予約部（録画予約手段の一部）
１１２    日時判定部（日時判定手段）
１１３    録画実行部（録画実行手段）
１１４    チャンネル設定部（チャンネル設定手段の一部）
１１５    番組判定部（番組判定手段）
１１６    禁止部（禁止手段）
１１７    表示制御部（表示制御手段の一部）
１１８    許可受付部（許可受付手段の一部）
１２    ＲＡＭ
１２１    予約情報記憶部
１２２    番組表記憶部（番組表記憶手段）
１５    受信部（表示制御手段の一部）
１８    画像出力部
１８３    ディスプレイ（モニタ）
２    リモコン（録画予約手段の一部、チャンネル設定手段の一部、許可受付手段の一部）
３    ＤＶＤレコーダ（情報記録装置）
【図１】
2008193275.tif 000003
【図２】
2008193275.tif 000004
【図３】
2008193275.tif 000005
【図４】
2008193275.tif 000006
【図５】
2008193275.tif 000007